【事件の表示】
　特願２００２−２２７０２９「洗濯機用吸排水ホースの固定装置」拒絶査定不服審判事件〔平成１６年３月４日出願公開、特開２００４−６５４２０〕について、次のとおり審決する。
【結　論】
　本件審判の請求は、成り立たない。
【理　由】
１．手続の経緯・本願発明 
　本件審判請求に係る出願（以下、「本願」という。）は、平成１４年８月５日に出願され、平成１７年１２月２０日付け拒絶理由通知に対し、平成１８年１月１８日付けで手続補正がなされたが、同年２月２８日付けで拒絶査定（同年３月２８日発送）され、これに対し、同年４月１１日に拒絶査定不服審判が請求されたものであって、当審において平成２０年４月１８日付けで通知した拒絶理由通知に対し、同年５月１６日付けで手続補正書が提出されたものである。
　
　したがって、本願の特許請求の範囲の請求項１に係る発明は、平成２０年５月１６日付け手続補正書の特許請求の範囲の請求項１に記載された、次のとおりのものである。（以下、「本願発明」という。）
「洗濯機設置場所近傍の壁面、またはドア竪枠やドア下枠に穿設した透孔を両面から覆って洗濯機用排水ホースの先端を捨水可能な場所に挿出する洗濯機用排水ホースの固定装置にあって、
　前記透孔の外周面に適宜固定手段を介して固定されるフランジ部に前記洗濯機用排水ホースの先端部材の一側に突設するフックが挿通するキー溝様の溝孔を一体に穿設した排水ホース端挿通孔を穿設し、
　該排水ホース端挿通孔に連続して前記フランジ部の正面側に同形状の筒襟部を突設すると共に、
　該筒襟部の背面側の内径に前記排水ホース端挿通孔を包括するカーラーを突設してなるホース端固定部材と、
　前記カーラーが突設する該先端部に対向する背面側の壁面またはドア竪枠やドア下枠の他面に蓋側化粧材とグロメット型蓋部材からなる排水ホース挿入孔を設けており、
　前記グロメット型蓋部と対向するカーラー先端部の長さは前記透孔に相当する長さ、またはカーラー先端部がグロメット型蓋部材の内側縁部付近まで延びた状態に構成し、
　前記カーラー及び排水ホース端挿通孔の軸芯は水平軸に対して３度から５度の角度をもって吐出側下方向に傾いてフランジ部を介して前記透孔の外側面に固定されていること、
を特徴する洗濯機用排水ホースの固定装置。」
　
２．引用例に記載された事項
（１）当審における平成２０年４月１８日付け拒絶理由通知において引用した、本願の出願前の平成１１年２月９日に頒布された刊行物である、特開平１１−３６７４６号公報（以下、「引用例１」という。）には、図面とともに次の技術事項が記載されている。
　
a.「一般家屋では、通常、浴室と脱衣室とが隣接して設けられ、これら両室
　を仕切るために仕切体としての扉が設けられている。そして、脱衣室にて
　脱いだ衣類を洗濯するために、この脱衣室に洗濯機を設ける家庭が多い。
　」（段落【0002】）
b.「親子開き扉の構造２は、浴室４と脱衣室６との間を仕切るためにこれら
　両室の間に配置される（図２参照）。・・・子扉１４および親扉１６は両
　室４，６を仕切る仕切体として作用する。」（段落【0010】）
c.「案内部材６２は、筒状の案内本体６４を有し、この案内本体６４の外周
　面には、・・・取付フランジ６６が設けられている。一方、子扉１４の下
　框２８には、案内本体６４の外形状に対応した開口が形成され、案内部材
　６２は、案内本体６４の一端部（図２において右端部）をこの開口を通し
　て挿入することによって、子扉１４の下框２８に装着される。・・・固定
　ねじ（図示せず）を・・・螺着することによって、案内部材６２は、その
　取付フランジ６６が下框２８に当接した状態で固定される。・・・案内本
　体６４は、上記一端から他端に向けて幾分下方に傾斜して形成されており
　、このように形成することによって、後述する如く排水ホースを挿入した
　とき挿入された排水ホースは先端部が浴室４側に向けて幾分下方に傾斜す
　るように保持され、これによって洗濯機からの排水が確実に行われる。（
　段落【0016】）
d.「案内本体６４には、案内空間を通して挿入される排水ホースの形状に対
　応して、その上部には、上方に突出する突出部７２が設けられている。突
　出部７２は、案内本体６４の一端（図２において右端）からその他端（図
　２において左端）まで延び、一対の突出壁部７２ａと、これら突出部７２
　ａの上端を接続する上壁部７２ｂを有している（図３参照）。」（段落【
　0017】）
e.「案内部材６２の一端側、図２において右側には、シール部材８６が配設
　されている。・・・シール部材８６は、たとえばゴム材料から形成され、
　比較的大きく弾性変形可能であり、その中央部を通しての排水ホースの挿
　入を許容するために、半径方向に延びるスリット（図示せず）が周方向に
　複数個形成されている。」（段落【0019】）
f.「この案内構造４０には、・・・排水ホース９４が着脱自在に取付けられ
　る。排水ホース９４は、脱衣室６に設置された洗濯機（図示せず）から延
　びており、洗濯機の水・・・はこの排水ホース９４を通して外部に排水さ
　れる。排水ホース９４は、可撓性の蛇腹部９６を有し、この蛇腹部９６の
　先端部に収納係止部９８が設けられ、収納係止部９８には係止爪部１００
　が一体的に設けられている。」（段落【0020】）
g.「洗濯機（図示せず）からの排水ホース９４を脱衣室６側から浴室４側に
　導くときには、・・・係止爪部１００を案内部材６２の突出部７２に整合
　するように位置付ける。そして、このように位置付けた状態にて、排水ホ
　ース９４の先端部をシール部材８６および案内部材６２の案内空間を通し
　て浴室４側に挿入すればよい。排水ホース９４を挿入すると、挿入される
　排出ホース９４の蛇腹部９６によって、シール部材８６の中央部が挿入方
　向に曲げられ、このシール部材８６によって案内本体６４と排水ホース９
　４との間隙がシールされ、浴室４側からの排水等の水が脱衣室６側に飛散
　、侵入するのが確実に防止される。」（段落【0021】）
　
　上記記載事項及び図面を総合勘案すると、引用例１には、次の発明（以下、「引用発明１」という。）が記載されていると認められる。
　
　浴室4と洗濯機が設置される脱衣室6との間を仕切る子扉14の下框28に形成された開口を両面から覆って、排水ホース94の先端を浴室4に挿出する洗濯機用排水ホースの固定装置であって、下框28の開口の外周面に固定ねじを介して固定される取付フランジ66に、排水ホースの先端の一側に突設する係止爪部100が挿通する孔を一体に穿設した排水ホース端挿通孔を穿設し、排水ホース端挿通孔に連続して取付フランジ66の正面側及び背面側に同形状の案内空間を有する筒状の案内本体64を突設した案内部材62と、取付フランジ66背面側の案内本体64に対向する背面側の下框28の他面にシール部材86からなる排水ホース挿入孔を設けており、取付フランジ66背面側の案内本体64の先端部がシール部材86の内側縁部付近まで延びた状態に構成し、案内本体64の軸芯は水平軸に対して幾分下方に傾斜して、吐出側下方に傾いて取付フランジ66を介して開口の外側面に固定されていること、を特徴する洗濯機用排水ホースの固定装置。
　
（２）同じく引用した、本願の出願前の平成１１年２月９日に頒布された刊行物である、特開平１１−３３２８６号公報（以下、「引用例２」という。）には、図面とともに次の技術事項が記載されている。
　
h.「洗濯機設置場所近傍の壁面またはドアパネルに穿設した透孔を両面から
　覆って洗濯機用排水ホースの先端を捨水可能な場所に挿出する洗濯機用排
　水ホース固定装置であり、前記透孔の外側面に適宜固定手段を介して固定
　するフランジ部に前記洗濯機用排水ホースの先端部材の一側に突設したフ
　ックが挿通するキー溝様の溝孔を一体に穿設した排水ホース端挿通孔を穿
　設し、該排水ホース端挿通孔に連続して前記フランジ部の正面側に同形状
　の筒襟部を突設すると共に、背面側に内径に前記排水ホース端挿通孔を包
　含するネジを螺設したカーラーを突設してなるホース端固定部材と、前記
　透孔の内側面からフランジ部に突設したカーラーを挿入し、・・・フラン
　ジ部の内縁にゴム、合成ゴムまたは軟質樹脂によって構成したグロメット
　型蓋部材を嵌着してなる蓋側化粧部材とから構成してなり、洗濯機用排水
　ホースの捨水用挿通孔を・・・工作するための洗濯機用排水ホース固定装
　置。」（【請求項１】）
i.「符号１９は、フランジ部２０にカーラー２１を突設した蓋側化粧部材で
　あり、・・・。また符号２３は、ゴム、合成ゴムまたは軟質樹脂によって
　構成した円盤状のグロメット型蓋部材であり、内径の盤面に十字状の切断
　２４が施されていて材質の弾性により開口可能になり、上記蓋側化粧部材
　１９のフランジ部２０と透孔２の周面間に挟持固着してなる。」（段落【
　0011】〜【0012】）
　
３．対比
　本願発明と引用発明１とを比較する。
　引用発明１における「下框」は、本願発明における「ドア下枠」に相当し、同様に、「開口」は「透孔」に、「浴室」は「捨水可能な場所」に、「固定ねじ」は「固定手段」に、「取付フランジ」は「フランジ部」に、「係止爪部」は「フック」に、「案内本体」は「筒襟部及びカーラー」に、「案内部材」は「ホース端固定部材」に、「シール部材」は「グロメット型蓋部材」に、それぞれ相当する。
　また、引用例１の図２及び図３を参照すれば、引用発明１における、取付フランジ66に穿設される排水ホース端挿通孔と一体に穿設された、係止爪部100が挿通される孔は、本願発明と同様の、キー溝様の溝孔と認められる。
　すると、本願発明と引用発明１とは、次の一致点及び相違点を有するものである。
　
＜一致点＞
　洗濯機設置場所近傍のドア下枠に穿設した透孔を両面から覆って洗濯機用排水ホースの先端を捨水可能な場所に挿出する洗濯機用排水ホースの固定装置にあって、
　前記透孔の外周面に適宜固定手段を介して固定されるフランジ部に前記洗濯機用排水ホースの先端部材の一側に突設するフックが挿通するキー溝様の溝孔を一体に穿設した排水ホース端挿通孔を穿設し、
　該排水ホース端挿通孔に連続して前記フランジ部の正面側に同形状の筒襟部を突設すると共に、
　該筒襟部の背面側の内径に前記排水ホース端挿通孔を包括するカーラーを突設してなるホース端固定部材と、
　前記カーラーが突設する該先端部に対向する背面側のドア下枠の他面にグロメット型蓋部材からなる排水ホース挿入孔を設けており、
　前記グロメット型蓋部と対向するカーラー先端部の長さはカーラー先端部がグロメット型蓋部材の内側縁部付近まで延びた状態に構成し、
　前記カーラー及び排水ホース端挿通孔の軸芯は水平軸に対して吐出側下方向に傾いてフランジ部を介して前記透孔の外側面に固定されていること、
を特徴する洗濯機用排水ホースの固定装置。
　
＜相違点＞
1)「排水ホース挿入孔」が、本願発明では「蓋側化粧材とグロメット型蓋部
　材」からなるのに対し、引用発明１では「グロメット型蓋部材」のみから
　なり「蓋側化粧材」を有していない点。
2)カーラー及び排水ホース端挿通孔の軸芯の、水平軸に対する吐出側下方向
　への傾きについて、本願発明では「３度から５度の角度をもって」傾くと
　されているのに対し、引用発明１では具体的な角度が特定されていない点
　。
　
４．当審の判断
　上記相違点について検討する。
　
＜相違点1)について＞
　上記２．（２）における摘記事項h，i及び図１より、引用例２には、洗濯機用排水ホース固定装置において、ホース端固定部材10が固定された側とは反対側の面である、ドア1の他面に、蓋側化粧部材19とグロメット型蓋部材23からなる排水ホース挿入孔を設ける発明（以下、「引用発明２」という。）が記載されている。
　そして、壁材や建具に穿設した透孔に部材を取り付ける際、取付けを容易としながら見た目をよくすることは、当該技術分野において自明の技術的課題であるから、引用発明１において、取付けを容易としつつ見た目をよくするために、引用発明２を採用し、排水ホース挿入孔を蓋側化粧材とグロメット型蓋部材とからなるものとして本願発明の構成とすることは、当業者が容易に為し得るものである。
　
＜相違点2)について＞
　本願発明において、カーラー及び排水ホース端挿通孔の軸芯が、「水平軸に対して３度から５度の角度をもって吐出側下方向に傾いて」いる構成を採用したのは、「排水ホースに残水がたまらないスムーズな排水がなされ」るようにするため（段落【0011】参照）であるところ、「幾分下方に」傾斜した構成を備えた引用発明１においても、そのような本願発明と同様の効果を奏することは、当業者にとり自明である。
　したがって、本願発明において、水平軸に対する軸芯の傾きの範囲として「３度から５度」を選択したことにより、本願発明が引用発明１に比較し格別な効果を奏するものとは認められないから、本願発明のカーラー及び排水ホース端挿通孔の軸芯の傾き角度を「３度から５度」とした点は、当業者が適宜決定し得る設計的事項に過ぎない。
　
　そして、本願発明において、排水ホース挿入孔を蓋側化粧材とグロメット型蓋部材とからなるものとしたことによる作用効果は、引用発明１及び引用発明２から当業者が予測し得る程度のものである。
　
５．むすび
　したがって、本願発明は、引用発明１及び引用発明２に基づいて、当業者が容易に発明をすることができたものであるから、特許法第２９条第２項の規定により特許を受けることができない。
　よって、結論のとおり審決する。